(57)【要約】【課題】本発明の課題は、検知対象を油に限定して、簡単で、低価格で、結露や水の影響を回避して油のみを検出でき、製造上で検出性能の確保が容易な構造のオイル検出シートを提供することである。【解決手段】本発明のオイル検出シートは、光乱反射性透明膜の裏面に有色の色識別膜を有し、かつ、光乱反射性の膜は、凹凸構造による光乱反射性を有することに加えて、撥水性で親油性を有することで、水をはじき、油のみが凹凸構造で吸収し、濡れ広がることで、下地の色識別膜の色を認識可能にしたことを特徴とする。【選択図】図１
2012026946.tif 000002
【特許請求の範囲】
【請求項１】
光乱反射性透明膜の裏面に有色の色識別膜を有し、かつ、光乱反射性の膜は、凹凸構造による光乱反射性を有することに加えて、撥水性で親油性を有することで、水をはじき、油のみが凹凸構造で吸収し、濡れ広がることで、光乱反射性から透明になることで前記色識別膜の色を視認可能としたことを特徴とするオイル検出シート。
【請求項２】
前記オイル検出シートの表裏を検出液が貫通のために、前記色識別膜と光乱反射性の膜との間を貫通する貫通穴を設けたことを特徴とする請求項１記載のオイル検出シート。
【請求項３】
前記色識別膜の裏面に重量物や突起物に対する保護のためのクッションを設けたことを特徴とする請求項１又は請求項２に記載のオイル検出シート。
【請求項４】
請求項１から請求項３のいずれかに記載のオイル検出シートの使用後に洗剤、又は有機溶剤で洗濯し乾燥し、油を除去して再利用することを特徴とするオイル検出シートの再生方法。
【請求項５】
請求項１から請求項３のいずれかに記載のオイル検出シートを車の通路に付設して、車を通過させ、前記車のオイル漏れを検出することを特徴とする車のオイル漏れ検出方法。
【発明の詳細な説明】
【技術分野】
【０００１】
本発明は、水ははじき、オイルのみ吸収することで、オイルの検出されたことを目で見ることが出来るオイル検出シートに関するものである。
【背景技術】
【０００２】
従来、この種のセンサーとしては、２本の電極間の電気抵抗又は静電容量、温度変化などの電気的変化を測定するものと、視覚的変化をみるものが報告されている。前者の例として、特許文献１から特許文献６、後者の例として特許文献７を見出すことができる。特許文献１では、２本の導体間に分散した導電性粒子間に油が侵入すると、導体間の電気抵抗が変化することで、油を検知する。特許文献２、特許文献３では、油膨潤性の導電性プラスチック層を用い、油により膨潤乃至溶解し、導電率が低下することを検出する。特許文献４では、２本の導体間に極性高分子膜を配し、油の接触による表面電気抵抗の低下を検出する。特許文献５では、油による２本の導体間の静電容量の変化を検出する。特許文献６では、熱伝対を使用して油による熱の伝わり方の変化を測定し、油を検出する。特許文献７では、水や油を通過させる通気性フィルムとその上にある着色層と水や油による濡れにより白色から透明になる白色層により、通気性フィルムを浸透した水、油を、色の変化として視認するものである。前者の電気的変化を測定するものでは、測定装置自体が高価になること、水や油脂の種類、状態、埃の混合、温度などにより、測定したデータの評価が難しく、水や油の簡単な漏れの検知には不向きである。
【０００３】
後者の例では、検知のためのセンサーが、容易につくれるので、価格を低くすることが出来て、水や油の簡単な漏れの検知に都合がよいが、特許文献７の例として提案されたものは、以下の欠点がある。図６は、特許文献７の例として提案されたものを示してある。
水や油を通過させる通気性フィルム１の上に着色層２があり、更にその上に、乾燥時は、白色だが、水や油により濡れると、透明になる白色層３がある。各々はこの順に配置されている。濡れにより透明なることで、着色層の色が視認できるので、漏れが検出できるということであるが、白色層に水や油が到達するまで、通気性フィルム１、着色層２を通過しなければならない。通気性フィルム１、着色層２、白色層３の各々の状態（水や油を透過させることに関しての仕上がり）、これらの間を接続する接着材の状態によって、水や油の透過性が大きく左右され、センサーとしてのバラツキが大きくなるために、生産上で品質の確保が本質的に難しく、難しい製造管理が必要であった。又、通気性フィルム１中の透過を介さないで、水が白色層３の表面に結露した場合（油が付いた場合も同様）にも、透明になって、着色層の色が視認でき、漏れか結露かの判定が出来ないという欠点を有している。又、応用が、通気性フィルム１を透過した水や油の検出に限定されてしまう欠点もある。現実に、本願への使用者の要望として、水への油の混合の有無を検出したいことが上げられている。特にこのような油の検出に主眼をおく場合には、水には反応しないことが重要なことで、この例では、水にも油にも反応するため、水への油の混合の検知は不可能となる。又、結露は、色々な環境で発生するので、油漏れとしては、誤検出となるので、致命的であった。
【発明の概要】
【発明が解決しようとする課題】
【０００４】
本発明の課題は、以上のような、背景にあって、検知対象を油に限定して、簡単で、低価格で、結露や水の影響を回避して油のみを検出でき、製造上で検出性能の確保が容易な構造のオイル検出シートを提供することである。
【課題を解決するための手段】
【０００５】
本発明のオイル検出シートは、光乱反射性透明膜の裏面に有色の色識別膜を有し、かつ、光乱反射性の膜は、凹凸構造による光乱反射性を有することに加えて、撥水性で親油性を有することを特徴とする。
以下説明する。
【０００６】
請求項１記載の発明は、オイル検出シートであって、光乱反射性透明膜の裏面に有色の色識別膜を有し、かつ、光乱反射性の膜は、凹凸構造による光乱反射性を有することに加えて、撥水性で親油性を有することで、水をはじき、油のみが凹凸構造で吸収し、濡れ広がることで、光乱反射性から透明になることで前記色識別膜の色を視認可能としたことを特徴とする。
【０００７】
請求項２記載の発明は、請求項１記載のオイル検出シートにおいて、前記オイル検出シートの表裏を検出液が貫通のために、前記色識別膜と光乱反射性の膜との間を貫通する貫通穴を設けたことを特徴とする。
【０００８】
請求項３記載の発明は、請求項１又は請求項２に記載のオイル検出シートにおいて、前記色識別膜の裏面に重量物や突起物に対する保護のためのクッションを設けたことを特徴とする。
【０００９】
請求項４記載の発明は、オイル検出シートの再生方法であって、請求項１から請求項３のいずれかに記載のオイル検出シートの使用後に洗剤、又は有機溶剤で洗濯し乾燥し、油を除去して再利用することを特徴とする。
【００１０】
請求項５記載の発明は、車のオイル漏れ検出方法であって、請求項１から請求項３のいずれかに記載のオイル検出シートを車の通路に付設して、車を通過させ、前記車のオイル漏れを検出することを特徴とする。
【発明の効果】
【００１１】
水は光乱反射性の膜の表面においてはじかれ、水が光乱反射性の膜に濡れ広がることが無く、油は、光乱反射性の膜の親油性により濡れ広がって、光乱反射性の膜の凹凸構造を満たし、そのために、光乱反射性が抑制されて、光が光乱反射性の膜を透過し、下地の色識別膜の色を濡れ広がりの領域として可視化できる。
尚、検出される油は、主に、光乱反射性の膜の表面側から直接触れるので、特許文献７の例のような検出感度のばらつき不具合は改良される。
【図面の簡単な説明】
【００１２】
【図１】本発明によるオイル検出シートの一実施態様を示す図である。
【図２】本発明によるオイル検出シートの別の一実施態様を示す図である。
【図３】本発明によるオイル検出シートの別の一実施態様を示す図である。
【図４】本発明によるオイル検出シートの車のオイル漏れの検出例を示す図である。
【図５】従来の車のオイル漏れの検出例を示す図である。
【図６】従来のオイル検出シートの一実施態様を示す図である。
【発明を実施するための形態】
【００１３】
本発明によるオイル検出シートでは、結露や水との混合液においても、油を分別して検出できるようにするために、光乱反射性透明膜の裏面に色識別膜を有し、かつ、光乱反射性の膜は、凹凸構造による光乱反射性を有することに加えて、撥水性で親油性であることにより、水は膜の表面においてはじかれ、水が膜に濡れ広がることが無く、油は、膜の親油性により濡れ広がって、膜の凹凸構造を満たし、そのために、光乱反射性が抑制されて、光が膜を透過し、下地の色識別膜の色を濡れ広がりの領域として可視化できるものである。
【００１４】
光乱反射性透明膜を与える手段としては、先ず、光乱反射性については、擦り硝子等で一般に知られるように、梨地模様や、５００番から２０００番の荒さの研磨シートで研磨した研磨面、反射面が均等な方向に広がるように適度の間隔で配列された半球面の凹凸などで与えることが出来る。また、光乱反射処理で参考になる記述が特許文献８に見ることが出来る。
透明性で撥水性かつ親油性の樹脂としては、パラフィン、ポリエチレン樹脂、ポリプロピレン樹脂、ポリエステル樹脂、フッ素樹脂、シリコン樹脂等が知られている。又、これらの樹脂に撥水処理剤を施すことも有効であり、撥水処理剤としては、パーフルオロアルキル基を含むポリマーや、フッ素コート剤等を含む市販の撥水スプレー剤が利用可能である。特許文献９には、撥水剤が紹介され、特許文献１０には、パラフィン及びシリコンオイル系の撥水剤が記述されている。特許文献１１、特許文献１２には、長鎖アルキル基などの長鎖脂肪酸による撥水剤又は撥水処理が記述されている。従って、例えば、透明フッ素樹脂の表面を梨地模様にしたもの、透明樹脂を研磨処理で研磨面を作り、フッ素コート剤をスプレーしたもの、透明樹脂又はガラス面にシリコン樹脂等の球状体を付着したものなど、色々のもので、撥水性で親油性の光乱反射性透明膜を実現できる。以下、実施例を用いて説明する。
【先行技術文献】
【特許文献】
【００１５】
【特許文献１】特公昭５９−４７２５６
【特許文献２】実開平６−９３３９
【特許文献３】特開平３−１０２２５３
【特許文献４】特開平６−３４７４５６
【特許文献５】特開２０００−１８０２８９
【特許文献６】特開２００５−１１４５６７
【特許文献７】特開平１０―１８５７４２
【特許文献８】特開平１１−１９２６３７
【特許文献９】特開平１１−１６９６２２
【特許文献１０】特開２００８−６９３６５
【特許文献１１】特表２００７−５３６３８７
【特許文献１２】特開２００５−３２０３００
【００１６】
図１は、本発明によるオイル検出シートの一実施態様を示す図である。１−Ａでは、例えば、透明ポリエステルシートの表面を梨地状態にしたもの、又はこの表面に、更にフッ素樹脂による撥水剤をスプレー処理したものによる撥水性・親油性の光乱反射性透明膜１０１とその裏面に施した色識別膜１０２が示されている。色識別膜１０２は、赤など識別しやすい色素による印刷や塗料の塗布によって施すか、色シートを貼り付けてもよい。
梨地面は、乾燥時は、光が乱反射して、色識別膜１０２の色は、はっきりは見えない状態である。
【００１７】
１−Ｂでは、１−Ａのオイル検出シート１００の表面に水１０３が着いた場合を示す。この表面は撥水性なので、水１０３ははじかれ、丸く分散した形状になり、部分的（水玉の中心に点状に）に色識別膜１０２の色が見える程度である。
【００１８】
１−Ｃでは、１−Ａのオイル検出シート１００の表面に油１０４が着いた場合を示す。この表面は油１０４については、親油性なので、油１０４は、丸まらずに広がり、広がった形状にわたり、下地の色識別膜１０２の色を見ることが出来る。油が梨地面の凹凸を埋めて、光の乱反射を抑制するからである。これは、すりガラスの表面に水が付くと、光が透過して見えることと同じ作用である。
【００１９】
図２は、本発明によるオイル検出シートの別の一実施態様を示す図であり、色々の撥水性・親油性の光乱反射性透明膜の例が示される。２−Ａでは、１−Ａの場合の例なので、説明を省略する。２−Ｂでは、段落００１５で示したように、例えば透明樹脂シートの表面に、シリコン樹脂等の撥水性かつ親油性の樹脂球状体２０１を付着したものである。図では、一様に樹脂球状体２０１を配置しているが、必ずしもその必要が無く、ランダムな配列でもよい。油だけが表面に吸着して広がり、樹脂球状体２０１による乱反射を抑制して、下地の色識別膜２０２の色が見えることになる。
【００２０】
２−Ｃでは、撥水性かつ親油性の透明樹脂シート２０３に光の乱反射を行わせるための凹部２０４を設けた例である。凹部２０４の形状は、半球形がよいが、これにこだわらない。凹部２０４に入った光が、乱反射されるので、シートの全体的に白ぽく見えて、下地の色識別膜２０２の色が見えない。油が付くと、透明樹脂シートの全面に広がって、凹部２０４を埋めるので、乱反射を抑制して、下地の色識別膜２０２の色が見えることになる。この例では、透明樹脂シート２０３は、撥水性かつ親油性である必要がある。
【００２１】
２−Ｄでは、透明樹脂シート２０３に光の乱反射を行わせるための材質的に透明体による凸部２０５を設けた例である。但し、凸部２０５により、油の吸着がない場合は、光の乱反射が行われ、実質には、透明ではない。凸部２０５の形状は、半球形がよいが、これにこだわらない。凸部２０５に入った光が、乱反射されるので、シートの全体的に白ぽく見えて、下地の色識別膜２０２の色が見えない。油が付くと、透明樹脂シートの全面に広がって、凸部２０５を含め、透明樹脂シート全体を覆うので、乱反射を抑制して、下地の色識別膜２０２の色が見えることになる。
【００２２】
尚、凹部、凸部の例として、半球形のものを図に示したが、円柱を半分に切った半円柱でもよい。
【００２３】
以上の例では、透明樹脂シート２０３が、撥水性かつ親油性である場合とそうで無い場合が考えられる。撥水性かつ親油性である場合は、凸部２０５も撥水性かつ親油性である場合は、凸部２０５の各々間の間隔は、任意となる。
凸部２０５が撥水性かつ親油性でない場合は、凸部２０５のサイズが撥水性かつ親油性の性能に関係する。凸部２０５のサイズが大きいと、その部分が撥水性かつ親油性でないので、その影響がでて、全体に撥水性かつ親油性の性能が低下する。超撥水といわれる撥水構造では、このサイズは１１０ｎm程度という報告がある。撥水性の二つの個体の間にどれだけの間隔があれば、水が入れるかを研究した報告である。この報告によれば、撥水性かつ親油性でない場合の凸部２０５のサイズは、１１０ｎm以下であることが好ましいことになる。
【００２４】
透明樹脂シート２０３が、撥水性かつ親油性でない場合は、凸部２０５が撥水性かつ親油性である必要があり、凸部２０５の相互の間が撥水性かつ親油性でないので、この間隔が撥水性かつ親油性の性能に関係するので、凸部２０５の相互の間の間隔が１１０ｎm以下であることが好ましいことになる。
【００２５】
図３は、本発明によるオイル検出シートの別の一実施態様を示す図である。３−Ａでは、１−Ａに示すオイル検出シートの裏面にクッション３０１を付設したものである。これは、図４に示す車のオイル漏れ検出のために使う場合のように、重量物や突起物などに対する保護が必要な場合に好都合である。３−Ｂでは、１−Ａに示すオイル検出シートの表面から裏面に貫通する検出液貫通のための貫通穴３０２を設けたものである。このようにすると、漏れ検出の対象面に貼り付けての検出で、対象面から出た油が貫通穴３０２を通過して、オイル検出シートの表面の光の乱反射性透明膜に吸着し、オイル漏れを検出できるので、表面側からの直接検出と同じ性能で、裏面側の検出が可能となる。尚、３−Ａ、３−Ｂの適用は、図１の１−Ａの梨地のものに限定されず、図２に示すその他の例においても可能である。
【００２６】
以上のようなオイル検出シートは、水に油が混合しているかを検出する場合に、液体中にオイル検出シートを浸漬し取り出すと、水がはじかれて、油のみが吸着して検出が可能である。この場合には、図１、図２、図３の３−Ａのものが、使用して好都合である。又、油漏れが心配される対象部位に貼り付けておけば、漏れを検出できる。この場合には、３−Ｂのものが使用して好都合である。
尚、オイル検出シートを薄手に作り、そのシートを複数枚を重ねてスタックとして提供すると、一枚一枚を更新しながら使用が出来る。
又、オイルが吸着したオイル検出シートは、界面活性剤の入った洗剤や、アルコール、アセトンなどの溶剤で洗濯し乾燥すると、オイルが除去されて、再び、オイル検出シートとして再利用が可能である。
【００２７】
図４は本発明によるオイル検出シートの車のオイル漏れの検出例を示す図である。
通路４００の上にオイル検出シート４０１を付設する。車が通路４００を通過して、オイル検出シート４０１を踏みつけることで、漏れていれば油がオイル検出シート４０１に吸着して、漏れが検出できる。
【００２８】
図５は、従来の車のオイル漏れの検出例を示す図である。通路５００の途中に、浅い水槽５０１を設けてある。車が、水槽５０１を通過して、漏れた油が水に入ると、水の上に張った油膜の干渉色が見えて、油漏れがあることが分かる。水槽５０１を準備して水を常に新しくしておく管理が面倒であった。
【産業上の利用可能性】
【００２９】
以上のよう本発明によるオイル検出シートは、簡単かつ安価な構成でありながら、水を区別して油を検出できるので、産業上利用性が極めて大きい。
【符号の説明】
【００３０】
１００  オイル検出シート
１０１  光乱反射性透明膜
１０２、２０２  色識別膜
１０３  水
１０４  油
２０１  樹脂球状体
２０３  透明樹脂シート
２０４  凹部
２０５  凸部
３０１  クッション
３０２  貫通穴
４００、５００  通路
４０１  オイル検出シート
５０１  水槽
【図１】
2012026946.tif 000003
【図２】
2012026946.tif 000004
【図３】
2012026946.tif 000005
【図４】
2012026946.tif 000006
【図５】
2012026946.tif 000007
【図６】
2012026946.tif 000008